(57)【要約】【課題】多くのシーンに対応できるような広視野の焦点状態検出が行える測距点配置のカメラの焦点検出装置を提供すること。【解決手段】撮影画面を黄金分割の考え方により領域１〜９の９つの矩形領域に分割し、これら分割した領域１〜９に測距点２１〜３５を配置する。このとき、撮影画面の４隅の領域１、３、７、９に測距点を少なくとも２つ配置するようにすることで、多くのシーンに対応できるような広視野の焦点状態検出が行える。【選択図】図１
2005331748.tif 000002
【特許請求の範囲】
【請求項１】
撮影画面内の複数の測距点における撮影光学系の焦点状態を検出するカメラの焦点検出装置において、
上記撮影画面を９つの矩形状領域に分割し、そのうちの４隅の領域に少なくとも測距点を２点ずつ配置したことを特徴とするカメラの焦点検出装置。
【請求項２】
上記測距点が、上記９つの矩形状領域の全てに配置されることを特徴とする請求項１に記載のカメラの焦点検出装置。
【請求項３】
上記９つの矩形状領域の上記４隅の領域外の領域に配置される測距点の数は、１又は２であること特徴とする請求項２に記載のカメラの焦点検出装置。
【請求項４】
上記撮影画面の分割は、上記撮影画面の縦横それぞれを黄金分割比により３分割することであることを特徴とする請求項１乃至３の何れか１つに記載のカメラの焦点検出装置。
【請求項５】
上記撮影画面の分割は、上記撮影画面の縦横それぞれを均等に３分割することであることを特徴とする請求項１乃至３の何れか１つに記載のカメラの焦点検出装置。
【請求項６】
上記撮影光学系の瞳の異なる領域を通過した対をなす光束を受光するセンサを具備し、
上記センサの出力に基づいて、上記撮影光学系の焦点状態を検出することを特徴とする請求項１乃至５の何れか１つに記載のカメラの焦点検出装置。
【請求項７】
上記センサは、上記撮影光学系の瞳の異なる領域を通過した上記対をなす光束と直交する視野方向からの光束を更に検出することを特徴とする請求項６に記載の焦点検出装置。
【請求項８】
撮影光学系の瞳の異なる領域を通過した対をなす光束をセンサで受光することにより、撮影画面内の複数の測距点における上記撮影光学系の焦点状態を検出するカメラの焦点検出装置において、
上記撮影画面を９つの矩形状領域に分割し、そのうちの４隅の領域に少なくとも測距点を２点ずつ配置したことを特徴とするカメラの焦点検出装置。
【請求項９】
上記センサは、上記撮影画面の横方向を検出視野の対象とする１対の第１のセンサ列と、上記撮影画面の縦方向を検出視野の対象とする１対の第２のセンサ列とからなり、
上記第１のセンサ列及び上記第２のセンサ列は、それぞれ複数のラインセンサを平行に並べて配置することで構成されることを特徴とする請求項８に記載のカメラの焦点検出装置。
【請求項１０】
上記第１のセンサ列及び上記第２のセンサ列のそれぞれ対をなす上記ラインセンサの特定領域の出力に基づき、上記撮影光学系の焦点状態を検出する演算手段を更に具備することを特徴とする請求項９に記載のカメラの焦点検出装置。
【請求項１１】
上記複数の測距点は複数のグループに分けられており、
上記複数のグループの中から所望のグループを選択するグループ選択手段を更に具備することを特徴とする請求項８乃至１０の何れか１つに記載のカメラの焦点検出装置。
【請求項１２】
上記演算手段は、上記グループ選択手段により選択されたグループに含まれる測距点のうち、最至近距離に相当する測距点に対応するラインセンサの特定領域の出力に基づき、上記撮影光学系の焦点状態を検出することを特徴とする請求項１１に記載のカメラの焦点検出装置。
【請求項１３】
上記複数の測距点は、上記撮影画面を９つの矩形状領域に分割する線分の近傍に、かつ上記線分に対して平行に配置されることを特徴とする請求項８に記載のカメラの焦点検出装置。
【請求項１４】
上記複数の測距点は、等間隔で配置されることを特徴とする請求項８に記載のカメラの焦点検出装置。
【発明の詳細な説明】
【技術分野】
【０００１】
本発明は、カメラの焦点検出装置に関し、特に撮影画面内の複数点の焦点状態を検出可能なカメラの焦点検出装置に関する。
【背景技術】
【０００２】
従来より、撮影画面に対し複数の測距点を配置することで、撮影画面内の複数の点に対する焦点状態検出を行うことができるカメラの焦点検出装置が提案されている。例えば、特許文献１は、位相差方式における５点測距を実現した例である。この特許文献１の例は、黄金分割を構成しやすいように、撮影画面内を黄金分割若しくは３等分割をなす線分により９分割し、上記線分の交点からなる矩形範囲内（以下、黄金分割内とする）に５つの測距点を図１０のように配置したものである。
【０００３】
しかしながら、特許文献１の提案は、黄金分割や３等分割を得るための測距点配置であり、撮影画面内において十分な広視野を求めるものではない。
【０００４】
そこで、特許文献１よりも更に広視野を実現するものとして図１１のように１１点の測距点を配置した焦点検出装置も提案されている。この図１１の例では、１１点の測距点のうちの９点が黄金分割内に配置され、他の２点が黄金分割外に配置されている。
【特許文献１】特開平５−１００１５９号公報
【発明の開示】
【発明が解決しようとする課題】
【０００５】
しかしながら、図１１の測距点配置では、スポーツ撮影などの特定のシーンにおいて撮影者が要求する焦点状態検出を行えないおそれがある。例えば、フィギュアスケートにおいては、図１２のように、男性が円の中心となり、ほとんど水平にまで体を倒した状態の女性を回転させる「デススパイラル」という技がある。このようなシーンを撮影する場合に、図１０の例では、撮影者が主被写体（男性）を黄金分割内の測距点で焦点調節しておき、レリーズする瞬間に撮影者が所望する構図に変更して撮影を行う必要がある。即ち、焦点を合わせる間は、実際の撮影時とは別の構図を保たねばならず、撮影者の思い通りの構図を実現することが困難である。また、図１１の例にしても、主被写体（男性）の顔の位置に測距点が配置されていないので主被写体の顔に焦点を合わせることが困難である。
【０００６】
本発明は、上記の事情に鑑みてなされたもので、多くのシーンに対応できるような広視野の焦点状態検出が行える測距点配置のカメラの焦点検出装置を提供することを目的とする。
【課題を解決するための手段】
【０００７】
上記の目的を達成するために、本発明の第１の態様によるカメラの焦点検出装置は、撮影画面内の複数の測距点における撮影光学系の焦点状態を検出するカメラの焦点検出装置において、上記撮影画面を９つの矩形状領域に分割し、そのうちの４隅の領域に少なくとも測距点を２点ずつ配置したことを特徴とする。
【０００８】
また、上記の目的を達成するために、本発明の第２の態様によるカメラの焦点検出装置は、撮影光学系の瞳の異なる領域を通過した対をなす光束をセンサで受光することにより、撮影画面内の複数の測距点における上記撮影光学系の焦点状態を検出するカメラの焦点検出装置において、上記撮影画面を９つの矩形状領域に分割し、そのうちの４隅の領域に少なくとも測距点を２点ずつ配置したことを特徴とする。
【０００９】
これら第１及び第２の態様によれば、撮影画面を分割して、そのうちの４隅の領域に測距点を少なくとも２点ずつ配置したことにより、多くのシーンに対応できるような広視野の焦点状態検出が行える。
【発明の効果】
【００１０】
本発明によれば、多くのシーンに対応できるような広視野の焦点状態検出が行える測距点配置のカメラの焦点検出装置を提供することができる。
【発明を実施するための最良の形態】
【００１１】
以下、図面を参照して本発明の実施形態を説明する。  
図１は、本発明の一実施形態に係るカメラの焦点検出装置の測距点配置について示した図である。本一実施形態においては、黄金分割をなす線分１１〜１４により撮影画面を９つの矩形状の領域１〜９に分割し、これら９分割した領域１〜９に測距点２１〜３５を配置する。
【００１２】
ここで、黄金分割とは理想的な画面構成が得られるような撮影画面の分割手法であり、図２（ａ）、図２（ｂ）に示すように、撮影画面をＡ：Ｂ＝Ｂ：（Ａ＋Ｂ）の比率で分割し、その分割した領域の何れかに主被写体を配置するという考え方である。ここで、図１においては、線分１１〜１４の４つの交点からなる矩形領域（以下、黄金分割域と称する）５の近傍に配置された測距点２２、２３、２４、２７、２８、２９、３２、３３、３４の９点は黄金分割の構成が得られやすい測距点である。更に、図１において、測距点２７、２８、２９を結ぶ直線の延長線上に測距点２６、３０が配置される。また、図１の黄金分割域５の近傍に配置された測距点以外の測距点のうち、測距点２１、２５は線分１１の近傍に配置され、測距点３１、３５は線分１２の近傍にそれぞれ配置される。
【００１３】
このように、本一実施形態では、撮影画面の４隅に対応する領域１、３、７、９に測距点が少なくとも２つ配置されるようにしたので、撮影者の要求を十分満たした広視野を実現することができ、先の「デススパイラル」のような構図においても、測距点を主被写体の顔の位置に配置することが可能である。
【００１４】
ここで、測距点２１〜３５は、それぞれ等間隔で配置することがより好ましい。このように測距点を等間隔で配置することにより、後で説明するＡＦセンサの構成を単純化することが可能である。
【００１５】
次に、図１のような測距点配置の焦点検出装置を搭載したカメラについて説明する。図３は、図１のような測距点配置の焦点検出装置を搭載したカメラにおける、焦点状態検出動作に関する構成について示した図である。ここで、図３はレンズ交換式の一眼レフレクスカメラを想定して図示したものである。即ち、図３のカメラは、交換レンズ１０１とカメラボディ１１０とから構成されている。
【００１６】
交換レンズ１０１は、カメラボディ１１０の前面に設けられた図示しないカメラマウントを介してカメラボディ１１０に着脱自在に構成されている。この交換レンズ１０１の内部には、フォーカスレンズ１０２と、レンズ駆動部１０３と、レンズＣＰＵ１０４とが設けられている。
【００１７】
フォーカスレンズ１０２は、撮影光学系に含まれる焦点調節用のレンズであり、レンズ駆動部１０３内の図示しないモータによってその光軸方向（図３の矢印Ａ方向）に駆動される。ここで、実際の撮影光学系は複数のレンズから構成されているが、図３ではフォーカスレンズ１０２のみを図示している。レンズ駆動部１０３は、モータとその駆動回路（モータドライバ）とから構成されている。レンズＣＰＵ１０４は、レンズ駆動部１０３の制御などを行う制御回路である。このレンズＣＰＵ１０４は、通信コネクタ１０５を介してカメラボディ１１０内のＡＦ演算ＭＰＵ１２１と通信可能に構成されており、レンズＣＰＵ１０４からＡＦ演算ＭＰＵ１２１に、レンズＣＰＵ１０４に予め記憶された、フォーカスレンズの製造ばらつき情報やフォーカスレンズの収差情報などのレンズ情報が通信される。
【００１８】
また、カメラボディ１１０は、以下のように構成されている。  
交換レンズ１０１内のフォーカスレンズ１０２を介してカメラボディ１１０内に入射した図示しない被写体からの光束は、メインミラー１１１で反射されて、フォーカシングスクリーン１１２、ペンタプリズム１１３を介して接眼レンズ１１４に至る。これにより、図示しない被写体の状態を観察することができる。
【００１９】
ここで、メインミラー１１１の中央部はハーフミラーになっており、メインミラー１１１がダウン位置（図示の位置）にあるときには、ハーフミラー部を一部の光束が透過して、メインミラー１１１に設置されたサブミラー１１５で反射される。なお、メインミラー１１１がアップ位置にある時には、サブミラー１１５は折り畳まれるようになっている。また、メインミラー１１１の後方には、撮影光学系を通過した被写体像を光電変換するための撮像素子１１６が配置されている。即ち、メインミラー１１１がアップ位置にある場合には、フォーカスレンズ１０２を通った光束が、撮像素子１１６に結像して光電変換される。
【００２０】
また、サブミラー１１５で反射された光束は、自動焦点検出を行うためのＡＦ光学系（コンデンサレンズ１１７、全反射ミラー１１８、セパレータレンズ１１９などから構成される）に導かれ、このＡＦ光学系を通過して、ＡＦセンサ１２０に導かれる。更に、ＡＦセンサ１２０に光束が入射した後、この入射光束が電気信号に変換される。そして、この電気信号出力（センサ出力）がゲートアレイ（ＧＡ）１２２に入力される。ゲートアレイ１２２では、入力されたセンサ出力がデジタルのセンサデータに変換される。このセンサデータは、演算手段としてのＡＦ演算ＭＰＵ１２１に入力されて、後のＡＦ演算に利用される。
【００２１】
次に、ＡＦ光学系及びＡＦセンサについて更に詳しく説明する。  
図４（ａ）は、図３のカメラで用いられるＡＦ光学系の２次結像系を模式的に示した図である。図４（ａ）に示すように、ＡＦ光学系は、コンデンサレンズ１１７と、全反射ミラー１１８と、セパレータレンズ１１９とから構成されている。ここで、図４（ａ）の破線は１次結像面を示し、図４（ａ）の一点鎖線はＡＦ光学系の光路を示している。また、セパレータレンズ１１９の後方にはＡＦセンサ１２０が配置されている。ここで、本一実施形態におけるＡＦセンサ１２０は、撮影画面の横方向を検出視野とする第１のセンサ列としての横線検出センサ列１２０ａ、１２０ｂと撮影画面の縦方向を検出視野とする第２のセンサ列としての縦線検出センサ列１２０ｃ、１２０ｄとの２対のセンサ列から構成されている。
【００２２】
図４（ｂ）はフォーカスレンズからＡＦセンサに至る光束の様子を、図４（ａ）の側面からみたときの様子として図示したものである。ここで、図４（ｂ）では全反射ミラー１１８の図示を省略している。また光束については撮影画面の横方向に関する焦点状態を検出するための横線検出光束のみを図示し、横線検出光束と直交する縦線検出光束については図示を省略している。なお、以下の説明は横線検出光束を対象としているが、縦線検出光束の場合も同様の説明が適用可能である。
【００２３】
図４（ｂ）において、フォーカスレンズ１０２の異なる射出瞳１０２ａ、１０２ｂを通過した１対の横線検出光束は、上記サブミラー１１５で反射された後、コンデンサレンズ１１７に入射してそれぞれ集光される。ここで、集光された１対の横線検出光束が全反射ミラー１１８において反射された後、図示しない視野絞りを介してセパレータレンズ１１９ａ、１１９ｂに入射する。そして、これらセパレータレンズ１１９ａ、１１９ｂにそれぞれ入射した横線検出光束が、横線検出センサ列１２０ａ、１２０ｂを構成するラインセンサの特定領域に結像する。
【００２４】
ここで、ＡＦセンサ１２０は、上記した測距点２１〜３５の１５点の焦点状態を検出するために図５のようなセンサ配置になっている。即ち、横線検出センサ列１２０ａ、１２０ｂは、それぞれ５列のラインセンサ（１３１ａ〜１３５ａ、１３１ｂ〜１３５ｂ）から構成されている。ここで、これら５列のラインセンサはそれぞれ平行にかつ等間隔で並べて配置されている。また、縦線検出センサ列１２０ｃ、１２０ｄは、それぞれ、３行のラインセンサ（１３６ｃ〜１３８ｃ、１３６ｄ〜１３８ｄ）から構成されている。ここで、これら３行のラインセンサはそれぞれ平行にかつ等間隔で並べて配置されている。
【００２５】
このように本一実施形態では、測距点が等間隔で配置されているので、ラインセンサを等間隔に配置してＡＦセンサを構成することができる。このため、ＡＦセンサの出力を読み出すための図示しない読み出し回路等の配置が容易である。
【００２６】
また、図５のようなセンサ配置において、例えば測距点２１の焦点状態を検出する場合には、１列目に対応する１対のラインセンサ１３１ａ、１３１ｂと、１行目に対応する１対のラインセンサ１３６ｃ、１３６ｄにおける特定領域の出力に基づいて検出する。このときの焦点状態の検出手法には、例えば相関演算を用いた手法がある。この相関演算を用いた手法について以下に簡単に説明する。
【００２７】
相関演算を行うのに先立って、まず、ＡＦ演算ＭＰＵ１２１は、ゲートアレイ１２２から入力されたセンサデータを図示しないＲＡＭに記憶させる。次に、各ラインセンサを構成するフォトダイオード出力の不均一性を補正する補正データを用いてＲＡＭに記憶させたセンサデータを補正する。ここでの補正データは、例えば均一輝度面を観察したときのセンサデータのばらつきを補正するようなデータを用いればよい。
【００２８】
センサデータの補正が終了した後、相関演算が行われる。ここで、相関演算とは、対をなすセンサ列間における検出光束の入射位置のずれ量を算出する演算である。即ち、相関演算においては、対をなすセンサ列間でセンサデータの比較（相関値の算出演算）が行われ、この比較の結果、相関値が最も小さくなるようなずれ量が算出される。このずれ量に基づいて被写体距離やフォーカスレンズ１０２を駆動する際のデフォーカス量が算出される。
【００２９】
ここで、上記相関演算の結果として算出されたずれ量の信頼性が低い場合には、誤ったデフォーカス量が算出されるおそれがあるので、デフォーカス量の算出を行うのに先立ってセンサデータの信頼性を判定しておくことが好ましい。このような信頼性の判定としては、例えばセンサデータが所定レベル以上大きく、かつ上記演算された相関値が所定値よりも小さい場合に信頼性が高いと判定するようにすればよい。
【００３０】
このような信頼性の判定結果に基づいて、ＡＦ演算ＭＰＵ１２１は信頼性の高いセンサデータを出力する測距点の中から、例えば最至近距離の点を選択してデフォーカス量の算出を行う。ここでの最至近選択の処理は、１５点全ての測距点の中から最至近距離の測距点を選択するようにしてもよいし、１５点を幾つかのグループに分け、その分けたグループの中での最至近距離の測距点を選択するようにしても良い。グループ内で最至近選択を行う場合には、例えば図６で示すように、１５点ある測距点を９つのグループ１４１〜１４９に分ける。そして、これら９グループの中から、任意の１つのグループをユーザが選択できるようにしておき、ＡＦ演算ＭＰＵ１２１は、ユーザによって選択されたグループに含まれる測距点の中から最至近距離の測距点を選択してデフォーカス量を算出する。このようなユーザによる測距点の選択は、例えば図７に示すようにしてカメラ背面に配置されたグループ選択手段としての十字キー１５１によって行えるようにする。このように、ユーザが測距点を選択できるようにすれば、よりユーザの好みに即した焦点状態検出を行うことができる。
【００３１】
デフォーカス量が算出された後は、算出されたデフォーカス量がレンズＣＰＵ１０４に送信される。この送信されたデフォーカス量に基づいてレンズＣＰＵ１０４がレンズ駆動部１０３を制御することにより、フォーカスレンズ１０２のフォーカス駆動が行われる。
【００３２】
次に、本一実施形態に係る焦点検出装置を搭載したカメラの電気回路構成について図８を参照して説明する。  
図８は、本発明の一実施の形態に係る焦点検出装置を搭載したカメラの全体的な電気回路構成を示すブロック構成図である。なお、図８は交換レンズとカメラボディとを区別せずに図示したものである。
【００３３】
図８において、カメラの所定位置には上記フォーカスレンズを含むズームレンズ系２０１が配設されている。このズームレンズ系２０１は、上記フォーカスレンズを含む撮影光学系を１つのレンズで代表して図示したものである。このズームレンズ系２０１はレンズ駆動制御回路２０３の制御の下、レンズ駆動機構２０２によって駆動される。レンズ駆動制御回路２０３はレンズＣＰＵ２０４によって制御される。
【００３４】
ズームレンズ系２０１の入射光の光路上にはＣＣＤ等の撮像素子２０５が配設されている。この撮像素子２０５の出力は、撮像回路２０６、Ａ／Ｄ変換回路２０７を介してバスライン２０８に接続されている。バスライン２０８には、システムコントローラ２０９とＡＦ演算ＭＰＵ２１１が接続され、ＡＦ演算ＭＰＵ２１１にはゲートアレイ２１０が接続されている。また、ゲートアレイ２１０にはＡＦセンサ２１２が接続されている。更に、バスライン２０８には、各種の制御プログラムや各種データ処理用の情報等を記憶したＲＯＭ２１３、データの一時記憶用のＲＡＭ２１４、ドライブコントローラ２１５及びメディアドライブ２１６を介してディスク状又はカード状の記録媒体２１７が接続され、外部Ｉ／Ｆ部２１８を介して外部入出力端子２１９が接続され、ビデオエンコーダー２２０を介してビデオ出力端子２２１が接続され、ビデオエンコーダー及びＬＣＤドライバ２２２を介してＬＣＤ表示部２２３が接続されている。
【００３５】
また、システムコントローラ２０９はカメラ全体の制御を司るものであり、レンズＣＰＵ２０４と通信可能に構成されている。更に、システムコントローラ２０９は、操作部ドライバ２２４を介してモード設定などのカメラに対して各指示の入力を行う操作部の操作状態を検出するためのダイヤル部２２５及びスイッチ部２２６、各部に電源を供給する電源部２２７とも接続されている。電源部２２７には、外部からの電源供給を受けるための外部電源入力端子２２８が設けられている。更に、システムコントローラ２０９は閃光発光を行うためのストロボ発光部２２９にも接続されている。
【００３６】
ここで、操作部には、上記十字キーや撮影開始するためのレリーズボタン等が含まれている。
【００３７】
このような構成において、ＡＦセンサ２１２からのセンサ出力がゲートアレイ２１０でデジタルデータに変換される。そして、ＡＦ演算ＭＰＵ２１１において上記したようなＡＦ演算が行われてデフォーカス量が算出され、算出されたデフォーカス量に基づいてレンズＣＰＵ２０４によってレンズ駆動制御回路２０３が制御されて、レンズ駆動機構２０２を介してズームレンズ系２０１内の図示しないフォーカスレンズのフォーカス駆動が行われる。
【００３８】
また、図示しない被写体の像がズームレンズ系２０１を介して撮像素子２０５に結像すると、この被写体像が光電変換された撮像信号として撮像素子２０５から出力される。この撮像信号が、後段の撮像回路２０６において処理され、更に、Ａ／Ｄ変換回路２０７においてデジタルの画像データに変換される。このデジタル画像データが、バスライン２０８を介してシステムコントローラ２０９に入力される。システムコントローラ２０９では、入力された画像データのＪＰＥＧ圧縮伸張処理等の各種信号処理等が行われる。ここで、システムコントローラ２０９による信号処理の際やＡＦ演算ＭＰＵ２１１におけるＡＦ演算の際には、一時的記憶用としてＲＡＭ２１４が用いられる。
【００３９】
また、画像データ等の記録用のディスク状又はカード状の記録媒体２１７がメディアドライブ２１６に装着されると、当該記録媒体２１７に画像データが記録され、或いは画像データが読み込まれることになる。このとき、ドライブコントローラ２１５により、メディアドライブ２１６の動作が制御される。記録媒体２１７から画像データが読み込まれた場合には、読み込まれた画像データがバスライン２０８を介してシステムコントローラ２０９に送られ、上記したのと同様の信号処理がなされる。
【００４０】
また、パソコン等の周辺機器は、外部入出力端子（例えばＵＳＢ端子）２１９、外部Ｉ／Ｆ部２１８を介してバスライン２０８に接続される。周辺機器の保持する画像データ等は、外部入出力端子２１９、外部Ｉ／Ｆ部２１８を介して取り込まれ、ドライブコントローラ２１５の制御の下、メディアドライブ２１６が駆動され、記録媒体２１７に記録されるようになっている。
【００４１】
更に、ビデオエンコーダー２２０では、Ａ／Ｄ変換回路２０７でＡ／Ｄ変換された画像信号、又は記録媒体２１７から読み出されシステムコントローラ２０９でＪＰＥＧ伸長処理された画像信号がエンコードされ、ＬＣＤ表示部２２３において所定の表示がなされる。このとき、ＬＣＤドライバ２２２によりＬＣＤ表示部２２３が駆動される。更に、このカメラでは、ビデオ出力端子２２１を介して映像信号の外部出力も可能となっている。
【００４２】
以上説明したように、本一実施形態によれば、黄金分割の考え方を利用して撮影画面を９つの矩形状領域に分割し、そのうちの４隅の領域に少なくとも測距点を２点ずつ配置しているので、撮影画面の隅に主被写体が配置されるような図１２の構図でも正しく焦点状態を検出することができる。
【００４３】
また、本一実施形態では、図５のようなセンサ配置とすることにより、１５点全ての測距点に対して２対のラインセンサを用いた相関演算を行うことができるので、１５点全ての測距点の測距性能を向上させることができる。
【００４４】
以上実施形態に基づいて本発明を説明したが、本発明は上記した実施形態に限定されるものではなく、本発明の要旨の範囲内で種々の変形や応用が可能なことは勿論である。
【００４５】
例えば、本一実施形態では撮影画面を黄金分割の考え方を利用して分割しているが、図９（ａ）のようにして撮影画面の縦横を均等に３分割する３等分割の考え方を利用して撮影画面を分割しても良い。この場合の測距点配置は、図９（ｂ）の測距点２１ａ〜３５ａのようになる。即ち、図９（ｂ）の場合も図１の場合と同様に、撮影画面の４隅の領域に、測距点を少なくとも２つずつ配置するようにする。
【００４６】
また、図１や図９（ｂ）の例では、測距点を１５点配置としているが、ＡＦセンサを構成するセンサアレイの数やセンサアレイ間の間隔を調節することで、測距点の数を１５点よりも増加させることもできる。この場合には、撮影画面の４隅の領域の測距点の数を２つよりも多くしても良い。
【００４７】
さらに、図６においては測距点を９つのグループに分けているが、この数もカメラの仕様などによって適宜変換可能である。また、測距点のグループ分けをユーザ自身に行わせるようにしても良い。
【００４８】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００４９】
【図１】本発明の一実施形態に係る焦点検出装置における測距点配置について示した図である。
【図２】黄金分割について説明するための図である。
【図３】本発明の一実施形態に係る焦点検出装置を搭載したカメラにおける、焦点状態検出動作に関する構成について示した図である。
【図４】図４（ａ）は図３のカメラにおけるＡＦ光学系の２次結像系について示した図であり、図４（ｂ）はフォーカスレンズからＡＦセンサに至る光束について示した図である。
【図５】ＡＦセンサのセンサアレイ配置について示した図である。
【図６】測距点のグループ分けについて説明するための図である。
【図７】測距点のグループを選択するための十字キーについて示した図である。
【図８】本発明の一実施の形態に係る焦点検出装置を搭載したカメラの全体的な電気回路構成を示すブロック構成図である。
【図９】図９（ａ）は３等分割について示した図であり、図９（ｂ）は３等分割上に配置された測距点について示した図である。
【図１０】従来例の測距点配置について示す第１の図である。
【図１１】従来例の測距点配置について示す第２の図である。
【図１２】従来例では、主被写体の焦点状態が検出できないシーンの例について示す図である。
【符号の説明】
【００５０】
２１〜３５，２１ａ〜３５ａ…測距点、１０１…交換レンズ、１０２…フォーカスレンズ、１０３…レンズ駆動部、１０４…レンズＣＰＵ、１０５…通信コネクタ、１１０…カメラボディ、１１１…メインミラー、１１２…フォーカシングスクリーン、１１３…ペンタプリズム、１１４…接眼レンズ、１１５…サブミラー、１１６…撮像素子、１１７…コンデンサレンズ、１１８…全反射ミラー、１１９…セパレータレンズ、１２０…ＡＦセンサ、１２１…ＡＦ演算ＭＰＵ、１２２…ゲートアレイ（ＧＡ）、１５１…十字キー
【図１】
2005331748.tif 000003
【図２】
2005331748.tif 000004
【図３】
2005331748.tif 000005
【図４】
2005331748.tif 000006
【図５】
2005331748.tif 000007
【図６】
2005331748.tif 000008
【図７】
2005331748.tif 000009
【図８】
2005331748.tif 000010
【図９】
2005331748.tif 000011
【図１０】
2005331748.tif 000012
【図１１】
2005331748.tif 000013
【図１２】
2005331748.tif 000014